(57)【要約】【課題】電気製品のコード、ケーブルなどの電線が、束ねられ折り曲げられることなく簡易に収納できる電線収納器を提供する。【解決手段】電線収納器１０は、電気器具２０の表面に電線収納器１０が接着できるように形成された接着部１０ａと、電線２０ａが巻き取られるように形成された電線巻き取り部１０ｂと、一または複数のスリットＳを有し電線２０ａの先端部分が、嵌め込まれるように形成された電線留め部１０ｃを有している。電線収納器１０は、接着部１０ａが、電気器具２０の表面に接着されている状態で、電線巻き取り部１０ｂに電線２０ａが巻き取られ、電線２０ａの先端部分が電線留め部１０ｃに嵌め込まれ固定されることで、電線２０ａが、収納されるように構成されている。【選択図】図１
0003213853.tif 000002
【実用新案登録請求の範囲】
【請求項１】
電気器具の電線を収納する電線収納器であって、
前記電気器具の表面に接着するように形成された接着部と、
前記電線が巻き取られるように形成された電線巻き取り部と、
一または複数のスリットを有し、前記電線の先端部分が、嵌め込まれ固定されるように形成された電線留め部と、
を有し、
前記接着部と前記電線巻き取り部と前記電線留め部は、一体的になるように形成されており、
前記接着部が、前記電気器具の表面に接着されている状態で、前記電線巻き取り部に前記電線が巻き取られ、前記電線の先端部分が前記電線留め部に嵌め込まれ固定されることで、前記電線が収納されるように構成されていることを特徴とする電線収納器。
【請求項２】
前記接着部は、粘着シールであり、
前記電線巻き取り部と前記電線留め部は、ＡＢＳ樹脂で一体的に形成され、単一部品で構成されていることを特徴とする請求項１に記載の電線収納器。
【請求項３】
前記電線は、コードまたはケーブルであり、前記コードまたはケーブルが、収納されるように形成されていることを特徴とする請求項１または請求項２に記載の電線収納器。
【考案の詳細な説明】
【技術分野】
【０００１】
本考案は、電線収納器に関する。
【背景技術】
【０００２】
従来、電気器具などのコード、ケーブルなどの電線において、煩雑で邪魔であることより、その煩雑さと邪魔なコードを整理するために箱形の器具を用いてその中にコードを祈り畳んで収納しているものが開示されている（特許文献参照）。
【先行技術文献】
【特許文献】
【０００３】
【特許文献１】特開平０９−１４００４０号公報
【考案の概要】
【考案が解決しようとする課題】
【０００４】
従来のコード収納器は、コードを折りたたんで収納するものであり、折り曲げることなく簡易にコード、ケーブルなどの電線を収納できるものが求められていた。
【０００５】
本考案は、こうした点に鑑みてなされたものであり、電気製品のコード、ケーブルなどの電線が、束ねられ折り曲げられることなく簡易に収納できる電線収納器を提供するものである。
【課題を解決するための手段】
【０００６】
上記課題を解決するために、本考案に係る電線収納器は、電気器具の電線を収納する電線収納器であって、前記電気器具の表面に接着するように形成された接着部と、前記電線が巻き取られるように形成された電線巻き取り部と、一または複数のスリットを有し、前記電線の先端部分が、嵌め込まれ固定されるように形成された電線留め部と、を有し、前記接着部と前記電線巻き取り部と前記電線留め部は、一体的になるように形成されており、前記接着部が、前記電気器具の表面に接着されている状態で、前記電線巻き取り部に前記電線が巻き取られ、前記電線の先端部分が前記電線留め部に嵌め込まれ固定されることで、前記電線が収納されるように構成されていることを特徴とする。
【０００７】
本考案に係る電線収納器の態様について、前記接着部は、粘着シールであり、前記電線巻き取り部と前記電線留め部は、ＡＢＳ樹脂で一体的に形成され、単一部品で構成されていることが好ましい。
【０００８】
本考案に係る電線収納器の態様について、前記電線は、コードまたはケーブルであり、前記コードまたはケーブルが、収納されるように形成されていることが好ましい。
【考案の効果】
【０００９】
本考案によれば、電気製品のコード、ケーブルなどの電線が、束ねられ折り曲げられることなく簡易に収納できる電線収納器を提供することができる。
【図面の簡単な説明】
【００１０】
【図１】実施形態の電線収納器の一例を示す模式図である。
【図２】電線収納器が電気器具に用いたれている一例を示す参考図である。
【考案を実施するための形態】
【００１１】
以下、本考案の電線収納器の実施形態を、図１及び図２を用いて説明する。図１（ａ）は、電線収納器１０を斜めから見た一例を示す模式図であり、図１（ｂ）は、電線収納器１０を側面から見た一例を示す模式図であり、図１（ｃ）は、電線収納器１０が、電気器具２０に貼り付けられて使用されている一例を示す模式図である。図２は、電気器具２０の電線２０ａが、電線収納器１０に収納されている状態を示す参考図である。
【００１２】
実施形態の電線収納器１０は、電気器具２０の電線２０ａを収納するものであり、接着部１０ａと電線巻き取り部１０ｂと電線留め部１０ｃを有している。電線２０ａは、電気器具２０に電源から電気を供給する電線であり、例えば、コード、ケーブルなどであり、コードの場合に、先端部分にプラグが接続されている。
【００１３】
接着部１０ａは、電気器具２０の表面に電線収納器１０が接着できるように形成されたものであり、電線巻き取り部１０ｂは、電線２０ａが巻き取られるように形成されたものであり、及び電線留め部１０ｃは、一または複数のスリットＳを有し、電線２０ａの先端部分が、嵌め込まれ固定されるように形成されたものである。
【００１４】
図１に示すとおり、実施形態において、接着部１０ａと電線巻き取り部１０ｂと電線留め部１０ｃは、一体的になるように形成されており、単一部品で構成されている。
【００１５】
図１に示す電線収納器１０は、電線巻き取り部１０ｂと電線留め部１０ｃに開口を設けているが、これは一例であり、開口を有しないものでよい。また、この例では、スリットＳの数は、６であるが、これは一例であり、適宜最適なスリットの数にすればよい。そして、接着部１０ａは、電線収納器１０を電気器具２０に接着できる機能を有するものであればよく、電線巻き取り部１０ｂは、電線２０ａが巻き取れられるように形成されていればよく、また電線留め部１０ｃは、スリットＳを有し、このスリットＳに、電線２０ａの先端部分が嵌め込まれ固定されるように形成されていればよい。
【００１６】
このような電線収納器１０は、接着部１０ａが、電気器具２０の表面に接着されている状態で、電線巻き取り部１０ｂに電線２０ａが巻き取られ、電線２０ａの先端部分が電線留め部１０ｃに嵌め込まれ固定されることで、電線２０ａが、収納されるように構成されている。
【００１７】
すなわち、電気器具２０を持ち運ぶ場合に、図２に示すように、この電気器具２０の裏側などに電線収納器１０の接着部１０ａを貼り付け、そして、電線２０ａを電線巻き取り部１０ｂに巻き付け、電線２０ａの先端部分を電線留め部１０ｃに嵌め込み固定することで、電線２０ａを電線収納器１０に収納することができる。
【００１８】
具体的な一例として、接着部１０ａは、粘着シール、両面粘着シールなどを用いてもよく、また電線巻き取り部１０ｂと電線留め部１０ｃは、アクリロニトリル、ブタジエン、スチレンからなる熱可塑性樹脂であるＡＢＳ樹脂を用いてもよい。
【００１９】
上記の特徴を有する電線収納器１０は、電気器具２０に貼り付けて用いることで、コード、ケーブルなどの電線２０ａを、束ね折り曲げることなく、くるくると簡易に巻きとり収納することができ、電気器具２０を持ち運ぶとき、シーズンオフに収納するときなどにおいて、電線２０ａが、きれいに収納され邪魔になることのない顕著な効果を有している。
【００２０】
以上、本考案の有する特徴及び優れた点を上記実施形態に記載したが、本考案は、本願の実用新案登録請求の範囲で使用されている言葉を広く一般的な意味に拡張して実施することができる。
【００２１】
また、本考案のコード収納器は、大きさや形状、素材の種類、厚さ、重さなどについては多様な実施形態が可能であり、それらについて本実施形態と異なる形態による実施は、本考案の技術的範囲に含まれる。
【符号の説明】
【００２２】
１０    電線収納器
１０ａ  接着部
１０ｂ  電線巻き取り部
１０ｃ  電線留め部
Ｓ      スリット
２０    電気器具
２０ａ  電線
【図１】
0003213853.tif 000003
【図２】
0003213853.tif 000004